(57)【特許請求の範囲】
【請求項１】
着脱可能な電源によって動作する電気機器であって、電気機器本体の動作を制御する動作制御手段と、前記電気機器本体に装着された電源を前記電気機器本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器。
【請求項２】
着脱可能な電源によって動作する電気機器であって、電気機器本体の動作を制御する動作制御手段と、前記電源を収納する電源室と、該電源室の電源挿入口を開閉する蓋と、該蓋を開閉不可能な状態にロックするロック手段と、前記ロックされた状態を解除するロック解除手段と、前記蓋を開く際に操作入力するための開蓋指示部材と、該開蓋指示部材による操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器。
【請求項３】
動作制御手段及びロック解除制御手段は装着された電源の電力により動作することを特徴とする請求項１または２記載の電気機器。
【請求項４】
ロック解除手段及びロック解除制御手段は装着された電源とは異なる電源の電力により動作することを特徴とする請求項１または２記載の電気機器。
【請求項５】
着脱可能な電源によって動作する電気機器の制御方法であって、動作制御手段により電気機器本体の動作を制御し、前記電気機器本体に装着された電源をロック手段により前記電気機器本体から離脱不可能な状態にロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器の制御方法。
【請求項６】
着脱可能な電源によって動作する電気機器の制御方法であって、電気機器本体の動作を動作制御手段により制御し、前記電源を収納した電源室の電源挿入口を開閉する蓋をロック手段により開閉不可能な状態にロックし、前記ロックされた状態をロック解除手段により解除し、前記蓋を開く際に操作入力するための開蓋指示部材による操作入力に応じて前記ロック解除手段をロック解除制御手段により制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とする電気機器の制御方法。
【請求項７】
着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とするビデオカメラ。
【請求項８】
動作制御手段及びロック解除制御手段は装着された電源の電力により動作することを特徴とする請求項７記載のビデオカメラ。
【請求項９】
ロック解除手段及びロック解除制御手段は装着された電源とは異なる電源の電力により動作することを特徴とする請求項７記載のビデオカメラ。
【請求項１０】
着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させることを特徴とするビデオカメラ。
【請求項１１】
着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープの給送を停止状態にする動作を行い、該停止動作完了後に前記ロック解除制御手段は前記ロック解除手段によりロックされた状態を解除させることを特徴とするビデオカメラ。
【請求項１２】
着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させることを特徴とするビデオカメラの制御方法。
【請求項１３】
着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させることを特徴とするビデオカメラの制御方法。
【請求項１４】
着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はテープの給送を停止状態にする動作を行い、該停止動作完了後に前記ロック解除制御手段は前記ロック解除手段によりロックされた状態を解除させることを特徴とするビデオカメラの制御方法。
【発明の詳細な説明】
【０００１】
【発明の属する技術分野】
本発明は、ＡＣアダプタやバッテリパックなどの本体に着脱可能な電源によって動作する、電気機器及びその制御方法、ビデオカメラ及びその制御方法に関するものである。
【０００２】
【従来の技術】
従来、ＡＣアダプタやバッテリといった本体に着脱可能な電源を備えた電気機器において、その電源の装着はユーザによって自由に着脱可能な、メカ的なロック機構となっている。すなわち、電源側の電力供給端子をバネ圧やストッパアーム等で本体側の電源端子に接触保持し、電力を継続的に供給すると共に、その取り外しはメカ的なレバーをスライドさせる等によって行うことが可能な構造である。
【０００３】
このような方式は、非常に簡単なメカ的な構造で実現可能なため、コスト的にも優れており、現在ビデオカメラのような小型電気機器においては広く普及している。
【０００４】
図７は従来例のビデオカメラの要部構成を示すブロック図である。図７において、５０１は画像を撮影するカメラ、５０２は撮影された画像が記録されるカセットテープ、５０３は撮影された画像情報の信号処理を行い、処理されたデータを順次カセットテープ５０２に書き込む信号処理手段、５０４はビデオカメラシステム全体の制御を行うマイコンである。
【０００５】
５０５は信号処理手段５０５によって処理された画像データのなかでも、特定の画面のデータを記憶すると共に、記録モードやタイトルといったユーザ設定情報を一時的に記憶保持しておく揮発性メモリ、５０６は前記揮発性メモリ５０５内に保持されたユーザ設定情報などを、ビデオカメラ本体（ＶＴＲ本体）の電源がＯＦＦされても保持しておくことが可能な不揮発性メモリである。
【０００６】
５０７はビデオカメラ全体に電力を供給する電源、５０８は電源５０７をビデオカメラ本体にメカ的にロックするためのロック機構、５０９はユーザがビデオカメラ本体を操作するためのＶＴＲ操作スイッチ群、５１０はカメラ５０１の画像またはカセットテープ５０２からの再生画像の表示を行う表示手段、５１１はカセットテープ５０２が装填されると共に、そのテープ走行を行うためのキャップスタンモータ、記録再生を行うための磁気ヘッド等が搭載されたメカ機構である。
【０００７】
従来ビデオカメラには、大きく分けて、カメラ撮影及びカセットテープ５０２への記録を行うカメラモードと、テープに記録さえた画像及び音声を再生するＶＴＲモードの２種類のモードが存在する。そこで、ビデオカメラ本体の動作をカメラモードとＶＴＲモードに分けて、以下に簡単に説明する。
【０００８】
カメラモードにおいては、ユーザはカメラ５０１によって取り込まれた画像を信号処理手段５０３を通じてカセットテープ５０２に記録することができる。このカメラモードでの記録には、通常の動画及び音声を記録するムービー記録と、メモリに蓄えられた静止画像及び音声を所定時間継続的に記録する静止画記録とが存在する。
【０００９】
まず、ユーザは、電源スイッチを操作することでＶＴＲ本体をカメラモードに入れ、ズームスイッチ等を操作して表示手段によって所望の画角を決定し、録画スタート／ストップキーを押下することで記録を開始する。記録モードが通常のムービーモードであった場合には、信号処理手段５０３はカメラ５０１から出力される画像データを順次カセットテープ５０２に記録することで、動画としての記録を行う。
【００１０】
また、記録モードが静止画記録モードであった場合には、信号処理手段５０３はスタートストップキーが押下された瞬間の画像を一旦揮発性メモリ５０５に取り込み、このメモリのデータを一定時間カセットテープ５０２に記録することで、静止画記録を行う。この静止画記録時には、静止画像データと同時に静止画像であることを表すＰＰＩＤデータを一定時間記録する。
【００１１】
後にここで記録されたＰＰＩＤを検索することで、静止画サーチを行うことを可能とするためである。ここで述べたスイッチ及びキーなどはＶＴＲ操作スイッチ群５０９の中に存在するＶＴＲ操作手段で、すべてマイコン５０４がその状態を読み込み、その結果に応じてカメラ５０１、信号処理手段５０３、揮発性メモリ５０５、メカ機構５１１等の制御を行うことで、これらの機能を実現している。
【００１２】
一方ＶＴＲモードでは、ユーザはカセットテープ５０２に記録された画像及び音声を再生し、表示手段５１０によって確認することができる。例えばテープの再生を行う場合には、ユーザは電源スイッチをＶＴＲモードにして再生キーを押下すると、信号処理手段５０３はカセットテープ５０２から画像データを取り出し、その信号処理を行って表示手段５１０に出力することで再生を行う。
【００１３】
また早送り／巻き戻しキーが押下された場合には、メカ機構５１１は指定された方向にテープを高速で走行させる。カメラモード時と同様に、ここで述べたスイッチ及びキーなどはＶＴＲ操作スイッチ群５０９の中に存在するＶＴＲ操作手段で、すべてマイコン５０４がその状態を読み込み、その結果に応じてカメラ５０１、信号処理手段５０３、揮発性メモリ５０５、メカ機構５１１等の制御を行うことで、これらの機能を実現している。
【００１４】
【発明が解決しようとする課題】
しかしながら、上記従来の電気機器においては、ＡＣアダプタやバッテリを、ユーザが自由に取り外すことが可能な構成となっているために、電気機器が動作中／データ転送中等でも突然電源が落ちてしまい、様々な問題点の原因となっている。以下にビデオカメラ等を例にとって、考えられる問題点を列挙する。
【００１５】
（１）ＦＦ／ＲＥＷ中に電源が取り外された場合、キャプスタンとピンチローラが圧着してテンションがかかったままでテープ走行が突然停止するために、テープダメージが発生する。
【００１６】
（２）記録中に電源が取り外された場合、記録終了処理が行われる前に突然電源が落ちてしまうため、その時点での記録トラックが正しく形成されない。また、その後再び電源を入れて記録する場合に、以前記録していたシーンとその後上書きされるシーンが正しくつながらない。
【００１７】
（３）カメラモードで動作中、ズームレンズがワイドまたはテレ端にある状態で電源が取り外された場合、その後再び電源を入れた場合にそのレンズ位置から移動できなくなる可能性がある。
【００１８】
（４）記録モードやタイトル情報など、ユーザが設定して不揮発性メモリに書き込むことでその状態を保持するような項目がある場合、ユーザが設定後不揮発性メモリに書き込み前または書き込み最中に電源が取り外されると、設定された項目が消えてしまう。
【００１９】
（５）静止画を本体に内蔵された揮発性メモリに取り込み、その静止画をＰＣ転送したり、カセットテープやスマートメディアといった大容量メディアに再書き込みを行うことができるようなビデオカメラまたはデジタルカメラなどの撮影機器において、取り込まれた静止画情報が他のメディアに転送中または転送される以前に電源が取り外されると、取り込まれたデータが消去されてしまう。
【００２０】
などの問題点があった。
【００２１】
本発明は、上記のような問題点を解決するためになされたものであり、本体から電源が突然取り外されてしまうことを回避した電気機器及びその制御方法、ビデオカメラ及びその制御方法を提供することを目的とする。
【００２２】
【課題を解決するための手段】
上記目的を達成するため、本発明では、電気機器及びその制御方法、ビデオカメラ及びその制御方法を次のとおりに構成する。
（１）着脱可能な電源によって動作する電気機器であって、電気機器本体の動作を制御する動作制御手段と、前記電気機器本体に装着された電源を前記電気機器本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器。
（２）着脱可能な電源によって動作する電気機器であって、電気機器本体の動作を制御する動作制御手段と、前記電源を収納する電源室と、該電源室の電源挿入口を開閉する蓋と、該蓋を開閉不可能な状態にロックするロック手段と、前記ロックされた状態を解除するロック解除手段と、前記蓋を開く際に操作入力するための開蓋指示部材と、該開蓋指示部材による操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器。
（３）動作制御手段及びロック解除制御手段は装着された電源の電力により動作する前記（１）または（２）記載の電気機器。
（４）ロック解除手段及びロック解除制御手段は装着された電源とは異なる電源の電力により動作する前記（１）または（２）記載の電気機器。
（５）着脱可能な電源によって動作する電気機器の制御方法であって、動作制御手段により電気機器本体の動作を制御し、前記電気機器本体に装着された電源をロック手段により前記電気機器本体から離脱不可能な状態にロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器の制御方法。
（６）着脱可能な電源によって動作する電気機器の制御方法であって、電気機器本体の動作を動作制御手段により制御し、前記電源を収納した電源室の電源挿入口を開閉する蓋をロック手段により開閉不可能な状態にロックし、前記ロックされた状態をロック解除手段により解除し、前記蓋を開く際に操作入力するための開蓋指示部材による操作入力に応じて前記ロック解除手段をロック解除制御手段により制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させる電気機器の制御方法。
（７）着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段はレンズ位置をリセット状態にする動作を行い、該レンズ位置リセット動作完了後に前記ロック解除制御手段は前記ロック解除手段によりロックされた状態を解除させるビデオカメラ。
（８）動作制御手段及びロック解除制御手段は装着された電源の電力により動作する前記（７）記載のビデオカメラ。
（９）ロック解除手段及びロック解除制御手段は装着された電源とは異なる電源の電力により動作する前記（７）記載のビデオカメラ。
（１０）着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させるビデオカメラ。
（１１）着脱可能な電源によって動作するビデオカメラであって、ビデオカメラ本体の動作を制御する動作制御手段と、前記ビデオカメラ本体に装着された電源を前記ビデオカメラ本体から離脱不可能な状態にロックするロック手段と、前記ロックされた状態を解除するロック解除手段と、前記電源の取り外す際に操作入力を行うための操作手段と、前記操作入力に応じて前記ロック解除手段を制御するロック解除制御手段とを備え、前記操作入力があった際に前記動作制御手段は磁気テープの給送を停止状態にする動作を行い、該停止動作完了後に前記ロック解除制御手段は前記ロック解除手段によりロックされた状態を解除させるビデオカメラ。
（１２）着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はレンズ位置をリセット状態にする動作を行い、該レンズ位置リセット動作完了後に前記ロック解除制御手段は前記ロック解除手段によりロックされた状態を解除させるビデオカメラの制御方法。
（１３）着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段は磁気テープへの記録終了及び前記磁気テープの位置合わせ動作を行い、該記録終了及び位置合わせ動作完了後に前記ロック解除制御手段は前記ロック解除手段によりロックされた状態を解除させるビデオカメラの制御方法。
（１４）着脱可能な電源によって動作するビデオカメラの制御方法であって、ビデオカメラ本体の動作を動作制御手段により制御し、前記ビデオカメラ本体に装着された電源を前記ビデオカメラ本体から離脱不可能な状態にロック手段によりロックし、前記ロックされた状態をロック解除手段により解除し、前記電源の取り外す際に操作入力を行うための操作手段による操作入力に応じてロック解除制御手段により前記ロック解除手段を制御し、前記操作入力があった際に前記動作制御手段はテープの給送を停止状態にする動作を行い、該停止動作完了後に前記ロック解除制御手段は前記ロック解除手段によりロックされた状態を解除させるビデオカメラの制御方法。
【００４９】
【発明の実施の形態】
本実施例をビデオカメラにより以下に説明する。
【００５０】
（第１の実施例）
図１は第１の実施例によるビデオカメラの構成を示すブロック図である。図１において、１０１は画像撮影を行うカメラ、１０２は撮影された画像が記録されるカセットテープ（磁気テープ）、１０３は撮影された画像情報の信号処理を行い、処理されたデータを順次カセットテープ１０２に書き込む信号処理手段、１０４はビデオカメラシステム全体の制御を行うマイコン（動作制御手段）である。１０５は信号処理手段１０３によって処理された画像データのなかでも、特定の画面のデータを記憶すると共に、記録モードやタイトルといったユーザ設定情報を一時的に記憶保持しておく揮発性メモリ、１０６は前記揮発性メモリ１０５内に保持されたユーザ設定情報などを、ビデオカメラ本体の電源がＯＦＦされても保持しておくことが可能な不揮発性メモリである。
【００５１】
１０７は電源のロックを電気的に解除し、電源を取り外すことを可能とする電源取り外し機構としての取り外しスイッチ（操作手段）、１０８はマイコン１０４からの設定に応じて電源のロック／ロック解除を行うアクチュエータ（ロック手段，ロック解除手段）、１０９はビデオカメラ全体に電力を供給する電源、１１０は電源１０９の他に設けられた補助電源である。
【００５２】
１１１はユーザがビデオカメラ本体を操作するためのＶＴＲ操作スイッチ、１１２はカメラ１０１の画像またはカセットテープ１０２からの再生画像の表示を行う表示手段、１１３はカセットテープ１０２が装填されると共に、そのテープ走行を行うためのキャプスタンモータ、記録再生を行うための磁気ヘッド等が搭載されたメカ機構である。また、１１４は電源をビデオカメラ本体にロックするためのロック機構である。
【００５３】
本実施例におけるビデオカメラにおいても、カメラモードでの記録及びＶＴＲモードでの再生においては、従来と同様な動作を行う。従って、その動作途中で電源を取り外されると種々の問題点を引き起こしてしまうこととなるのは、前述したとおりである。
【００５４】
以下に本実施例の特徴とするビデオカメラにおける電源ロック装置（電源着脱装置）について説明する。
【００５５】
この装置はメカ的にバッテリ等の電源にロックをかけ、そのロック解除を電気的に制御することを特徴としている。すなわち、ビデオカメラ本体が電源を取り外されては問題となるような場合には、その状態をマイコンが検出し、ユーザが電源の取り外しができないように電気的にロックをかける構成としている、ということである。
【００５６】
上記電源ロック装置は、大別すると電源取り外しスイッチ１０７、アクチュエータ１０８及びそれらを制御するマイコン１０４から構成されている。ビデオカメラの動作状態では、マイコン１０４は上述したようにビデオカメラ各部の制御を行っている。この動作状態中においては、マイコン１０４はアクチュエータ１０８に対しては電源ロックを指令するコマンドを発生している。ここで電源取り外しスイッチ１０７が操作されると、マイコン（ロック解除制御手段）１０４はビデオカメラ本体を電源が取り外されても問題ないように各部を制御（退避制御）し、そのような状態になったことを確認した後に、アクチュエータ１０８にロック解除指令を発生する。アクチュエータ１０８はその指令を受けてバッテリロック機構１１４を解除することで、ユーザがバッテリを取り外すことが可能となる。
【００５７】
図２は上述したバッテリ取り外し時のマイコン１０４の動作手順を示すフローチャートである。以下このフローチャートを用いて詳細に説明する。なお、本動作はマイコン１０４内のＲＯＭに格納されているプログラムに基づいてマイコン１０４内のＣＰＵの指示により実行される。
【００５８】
まず、ステップＳ１０１において、マイコン１０４は電源取り外しスイッチ１０７が押下されたかをチェックしている。押下されていない場合には、元に戻り通常処理を続ける。押下されていることが検出された場合には、次にステップＳ２０２において、ビデオカメラは記録中であるかどうかを確認する。この確認は前述した通常の動画記録／静止画記録を問わずない。
【００５９】
すなわちどちらの記録モードであっても、記録中であった場合には、記録電流ＯＦＦ→次にそのテープに記録を行うためのつなぎ動作、などの記録終了処理ＳＳ１０３を行う。この記録終了動作が完了すると、マイコン１０４は次にレンズ位置の確認を行い、テレ／ワイドどちらかの端にレンズがあった場合にはそこを避けるようにレンズ位置リセットＳ１０５を行う。これは、ズームレンズの位置がこのような端にある状態で電源がＯＦＦされ、その後長時間電源が投入されなかった場合に、次に電源を投入してズームレンズを移動させようとしても、レンズが正常に動作しないという問題点を避けるための処理である。
【００６０】
最後にマイコン１０４はメカ機構１１３がＳＴＯＰ状態にあるかのチェックを行う。ストップ状態でない場合には、ステップＳ２０７でＳＴＯＰへ移行するようメカ機構１１３を制御する。これらのチェック及びその結果に対応する動作を行った後に、マイコン１０４は電源ロック機構であるアクチュエータ１０８に対して、ロック解除のコマンドを発生して、ここで初めて電源が取り外せる状態となる。
【００６１】
以上述べてきたような構成及び手順によって、ビデオカメラ本体が電源を取り外されてはいけない状態にある場合には、電源の取り外し電気的にロックをかけることで、種々の問題点を回避することが可能となる。
【００６２】
次に前記電源ロック装置について、その構成及び動作を図３を用いて更に詳細に説明する。図３は第１の実施例によるバッテリロック機構を示す回路ブロック図であり、この装置はビデオカメラ本体に用意された、バッテリ取り付け専用スペースの周辺に用意されているものとする。
【００６３】
図３において、２０１は本装置及びビデオカメラ全体を制御するマイコン（図１のマイコン１０４に相当する）、２０２は電源電圧を一定に保つためのレギュレータ、２０３はマイコン２０１から制御されるスイッチ、２０４はスイッチ２０３によってその動作がＯＮ／ＯＦＦされる電磁石、２０５はバッテリをロックするための止め金、２０６は止め金２０５を矢印の方向に付勢するバネである。
【００６４】
２０７はバッテリ（図１の電源１０９に相当する）、２０８は本体側に取り付けられて、バッテリの電源端子に接触することでビデオカメラ本体に電力を与える端子、２０９はバッテリをメカ的に取り外せるようにするスライドロック、２１０はスライドロック２０９がロック解除状態になると押下される電源取り外しスイッチ、２１１は図１の補助電源１１０から電源供給を行うためのＡＣアダプタである。なお、２１３，２１４は抵抗、２１５，２１６はダイオードである。
【００６５】
次にこの装置の動作について詳細に説明する。まず電源も補助電源もない場合には、止め金２０５はバネ２０６によって、本体に取り付けられた支点を中心にしてバッテリ方向（矢印方向）に付勢されている。これはバッテリ２０７がある場合には、ロックがかかる状態である。この状態からバッテリを挿入すると、バッテリは止め金２０５のバッテリ側の面につけられたテーパ上をスライドすることで、バッテリの取り付けスペースに正しく収まることが可能である。
【００６６】
この状態では、止め金２０５はバッテリ２０７の外装に形成されたロック用の溝に収まっており、すなわち、バッテリ２０７にはロックがかかった状態となっている。ユーザは更にスライドロック２０９によってバッテリを固定する。この操作は物理的にバッテリを固定すると共に、電源取り外しスイッチ２１０をオープン状態とすることになる。
【００６７】
このようにビデオカメラ本体にバッテリが取り付けられると、本体側の電源端子２０８を通じてレギュレータ２０２に電力が供給される。すると、レギュレータ２０２はバッテリ電圧を調製した一定の電圧２１２Ａをマイコン２０１を含むビデオカメラ全体に発生する。この時点で、バッテリ取り外しスイッチからの信号２１２Ｂは、一定電圧２１２Ａにプルアップされているために“Ｈ”状態となっている。すると、マイコン３０１は信号２１２Ｃによって電磁石のＯＮ／ＯＦＦスイッチ２０３をオープン状態、すなわち電磁石２０４をＯＦＦ状態として、バッテリ２０７に電気的なロックをかける。
【００６８】
以上述べたような動作及び作用によって、ビデオカメラ本体に電力が供給されると共に、電力の供給源であるバッテリ２０７に電気的にロックがかけられ、この状態で前述したようなＶＴＲ動作を行うこととなる。次に、バッテリ２０７を取り外す場合の動作について説明する。
【００６９】
バッテリ２０７を取り外すためには、ユーザは最初にスライドロック２０９を矢印の方向にスライドさせて、バッテリのロックを物理的に解除すると同時に、バッテリ取り外しスイッチ２１０を閉じて、マイコン２０１への信号２１２Ｂを“Ｌ”状態とする。マイコン２０１はこの状態を検知すると、信号２１２Ｃによってスイッチ２０３を閉じて電磁石２０４をＯＮにする。すると磁力によって止め金２０５が電磁石２０４に引きつけられて、バッテリ２０５にかかっていたロックが解除されることになる。
【００７０】
ただし、このロック解除動作は、本実施例における図２のフローチャートの説明で述べた手順によって行われることとなり、ビデオカメラ本体がバッテリの取り外しが可能な状態となるまではロック解除が行われないこととなる。
【００７１】
ここで、図１の補助電源１１１の役割について説明する。補助電源１１１はＡＣアダプタ２１１など介して電源供給端子から安定した電力を供給することが可能であり、バッテリ２０７の電力では電磁石２０４と止め金２０５によるバッテリロックを解除できなくなった場合に、補助的にビデオカメラ本体に電力を与えることでバッテリを取り外すことを可能とするものである。
【００７２】
前記バッテリロックを解除できなくなった状態とは、ビデオカメラ本体にバッテリ２０７を装着したままの状態で長時間放置した等の原因でその電力が衰えてしまい、マイコン３０１が動作できない、または、電磁石２０４が止め金２０５を引きつけることが不可能となった、などの状態である。バッテリ２０７と補助電源１１１は、それぞれの電力供給線上に取り付けられたダイオード２１５，２１６によって互いに分離されており、両方の電源がある場合にはどちらかの電圧の高い方がレギュレータ２０２に供給される構成となっている。
【００７３】
当然この補助電源１１０は、通常使用時にはバッテリ２０７によって充電される二次電池であってもよいが、その場合の構成はここでは詳しくは述べない。
【００７４】
また図３の構成においては、電源に電気的なロックをかけるための手段として、電磁石２０４とバネ２０６によって付勢された止め金２０５を用いて実現している。その特徴のひとつは、バッテリという限られた電力を有効に利用するために、通常使用時にバッテリをロック状態とするためにはバネの力でそれを行い、解除する場合に電磁石をＯＮして初めて電力を使用している、という点が挙げられる。
【００７５】
さらに、このような機構の代替えに小型のモータとそのモータによってスライドする部材などを用いることも可能である。この場合もロックをかけるまたは解除する場合にのみ電力を使用することとなるため、バッテリを有効使用することができる。
【００７６】
（第２の実施例）
図４は第２の実施例によるビデオカメラの構成を示すブロック図である。本実施例における特徴は、ビデオカメラ本体が、パソコン等の外部機器（以後ＰＣとする）３１２との通信を可能とするデジタルインターフェース３０６を備えていることである。このデジタルインターフェース３０６によって、デジタル信号線３１５を介して画像及び音声データを外部のＰＣ３１２に送信したり、また同時にＰＣ３１２からビデオカメラ本体を操作させるためのコマンドを受信したりすることが可能となる。
【００７７】
以降、図２を用いて本実施例の詳細について説明する。本実施例におけるビデオカメラは、従来と同様に、カメラモードにおいて通常の動画及び静止画を信号処理手段３０３を通じてカセットテープ３０２に記録することが可能である。更に新たな機能として、シャッタを切った瞬間の静止画像を揮発性メモリ３０５内に保持する、メモリカメラ機能を有している。
【００７８】
揮発性メモリ３０５は約２［Ｍｂｙｔｅ］の容量を有しており、この容量をすべてこの静止画像データの格納に使用したとすると、圧縮されたデータにして約２０枚程度の静止画像を取り込むことが可能である。ここで格納された静止画像は、信号処理手段３０３によって圧縮が解かれて、表示手段３１４に出力することができる。また前述した方法で、カセットテープ３０２に静止画記録フォーマットで記録することも可能である。さらに、デジタルインターフェース３０６を介して外部のＰＣ３１２にそのデータを転送することも可能である。
【００７９】
以上述べたようなＶＴＲ及びメモリカメラ機能は全て、マイコン３０４がＶＴＲ操作スイッチ群３１１からの操作入力を受け、その入力に応じてカメラ３０１、信号処理手段３０３、揮発性メモリ３０５、デジタルインターフェース３０６等を制御することによって実現されているが、ここではその詳細については説明しない。
【００８０】
図５は本実施例における電源取り外し時の制御手段を示すフローチャートである。以下このフローチャートを用いて詳細に説明する。なお、動作はマイコン３０４内のＲＯＭに格納されているプログラムに基づいてマイコン３０４内のＣＰＵの指示により実行される。
【００８１】
マイコン３０４はまずステップＳ２０１で電源取り外しスイッチ３０７が押下されたかをチェックしている。押下されたことが検出された場合には次に、ステップＳ２０２でビデオカメラ本体がデジタルインターフェース３０６を介してＰＣ３１２と通信中かの確認を行う。
【００８２】
通信中であった場合には、ステップＳ２０３にて通信終了処理を行い、次にステップＳ２０４で揮発性メモリ３０５に未処理の画像データが残っていないかのチェックを行う。ここでいう「未処理」とは、前述したような方法で画像を揮発性メモリ３０５に取り込んだ後、デジタルインターフェース３０５を通じてＰＣ３１２に送信していない状態で、かつ、カセットテープ３０２にもその画像データを静止画記録していない状態を表している。
【００８３】
未処理の画像がなければ、その時点でアクチュエータ３０９に電源ロック解除を指令してロック機構３１４を解除して電源を取り外せることとする。一方未処理の画像が存在する場合には、次にマイコン３０４は信号処理手段を介して、表示手段（警告手段）３１４に未処理画像がある旨の警告を発生し、同時にその後の処理方法についてのユーザ入力を受け付ける。
【００８４】
本実施例においては、この選択肢は３種類存在する。第１はテープに静止画記録する方法である。マイコン３０４はステップＳ２０６においてユーザ入力がテープに記録する項目を選択しているかのチェックを行い、そうであった場合にはステップＳ２０７において未処理画像データを順次カセットテープ３０２に静止画記録する。第２・第３の選択肢は、電源取り出しをやめること及び、データが残っていても強制的に電源を取り外してしまうことである。
【００８５】
ステップＳ２０８において、マイコン３０４はユーザ入力が、警告を無視してそのまま電源を取り外すことを選択しているかどうかのチェックを行う。そうであった場合はステップＳ２０９において電源のロックを解除して、ユーザが電源を取り外せるようにする。また、そうでなかった場合には、電源の取り出しを中止して元に戻る。
【００８６】
図５には記述されていないが、ステップＳ２０１で電源取り外しスイッチ３０７のチェックを行った後、ステップＳ２０９でアクチュエータ３０８にロック解除を指令するまでの間に、図２のフローチャートで行っているのと同様のチェック及び処理動作を行うことも可能である。
【００８７】
また、本実施例においても補助電源３１０を用いて、バッテリの消耗によってロック解除が不可能となった場合の補助的なロック解除手段を提供していることは、その構成・作用において第１の実施例と全く同様である。
【００８８】
（第３の実施例）
図６は第３の実施例によるバッテリ蓋ロック機構を示す回路ブロック図であり、バッテリの蓋にロックをかけることによって、バッテリの取り出しを電気的に制御する電源着脱機構について説明する。図６において、４０１は電気機器に電力を供給する電源であるバッテリ、４０２はバッテリ４０１からの電圧を一定電圧に調整するレギュレータ、４０３は電気機器全体を制御するマイコン、４０４はバッテリ挿入口に取り付けられたバッテリ蓋、４０５はバッテリ蓋を開閉するスライドロック、４０６はスライドロック４０７によって押下されるバッテリ取り外しスイッチ（開蓋指示部材）、４０７はバッテリ蓋４０４をロックするためのロックピンである。
【００８９】
４０８はウォームギアを介してロックピン４０７を横方向にスライドさせることで、バッテリ蓋のロック／ロック解除を制御するモータ、４０９はモータ４０８を動作させるスイッチである。
【００９０】
また、４１０Ａはレギュレータによって安定化されたマイコン４０３の電源（供給電圧）、４１０Ｂはマイコン４０３がバッテリ取り外しスイッチ４０６の状態を検出するためのバッテリ取り外しスイッチ信号、４１０Ｃはマイコン４０３がモータ４０８の動作を制御するためのモータ制御信号、４１０Ｄはモータの正転／逆転を制御するためのモータ正逆切り替え信号である。
【００９１】
次に、この電源着脱機構の動作について詳細に説明する。まず、該電気機器にバッテリが取り付けられ、スライドロック４０５でバッテリ蓋４０４にメカ的にロックがかけられると、バッテリ４０１から電気機器に電力が供給されて、マイコン４０３を含めたシステム全体の動作が開始される。この時スライドロック４０５は、バッテリ取り外しスイッチ４０６を押下していない状態となっている。マイコン４０３は信号４１０Ｂによってこの状態を検出すると、モータ制御信号４１０Ｃ及びモータ正逆切り替え信号４１０Ｄによってモータ４０８を動作させ、ロックピン４０７をバッテリ蓋４０４がロックされる方向（図６では右方向）に移動して、バッテリ蓋４０４にロックをかける。
【００９２】
逆にバッテリを取り出すときの動作について説明する。まず最初にスライドロック４０５のロック状態が解除されると、バッテリ取り外しスイッチ４０６が押下される。マイコン４０３は信号４１０Ｂによってこの状態を検出すると、まず電気機器本体を電源の取り外しが可能な状態となるように制御する。
【００９３】
ここで言う「電源の取り外しが可能な状態」とは、当然、本実施例が適用される電気機器によって異なるものである。その後、モータ制御信号４１０Ｃ及びモータ正逆切り替え信号４１０Ｄによってモータ４０８をバッテリ蓋をロックするときとは逆方向に回転させ、ロックピン４０７をバッテリ蓋４０４のロックを解除する方向（図６では左方向）に移動して、バッテリ蓋４０４のロックを解除する。
【００９４】
以上述べたような方法で、バッテリ蓋のロック／ロック解除を電気的に制御すれば、バッテリを直接ロックする場合と同様に、従来電気機器の電源が突然取り外されることによって発生する問題点を事前に防ぐことが可能となる。
【００９５】
バッテリの電力が低下してビデオカメラを動作させることが不可能となってしまった場合でも、別の電源を使用してバッテリを取り出すことが可能となる。
【００９６】
このように上記第１〜第３の実施例では、ビデオカメラのバッテリが突然取り外されてしまうことを簡単な構成で回避することが可能となる。
【００９７】
また、ビデオカメラの電源が取り外される前に制御データを所定の記憶素子に退避させることで、データの消滅を防止することが可能となる。
【００９８】
また、ビデオカメラの電源が取り外される前に画像データを所定の記憶素子に退避させることにより、画像データの消滅を防止することが可能となる。
【００９９】
また、電源再投入時にズームレンズが動作できない問題を回避することが可能となる。
【０１００】
また、再度電源を投入した場合に、その後のシーンが以前のシーンと正しくつながらなくなるという問題点を回避することが可能となる。
【０１０１】
また、テープテンションがかかった状態で突然電源が取り外されることによって発生する、テープダメージを防ぐことが可能となる。
【０１０２】
また、電源のロックを解除することがシステム的に不可能な状態をユーザに認知させることが可能となる。
【０１０３】
【発明の効果】
以上説明したように、本発明によれば、本体から電源が突然取り外されてしまうことを回避することができ、電源が突然落ちてしまうことにより生じる問題点を回避することができるという効果がある。
【図面の簡単な説明】
【図１】  第１の実施例によるビデオカメラの構成を示すブロック図
【図２】  第１の実施例による電源取り外し時の制御動作を示すフローチャート
【図３】  第１の実施例によるバッテリロック機構を示す回路ブロック図
【図４】  第２の実施例によるビデオカメラの構成を示すブロック図
【図５】  第２の実施例による電源取り外し時の制御動作を示すフローチャート
【図６】  第３の実施例によるバッテリ蓋ロック機構を示す回路ブロック図
【図７】  従来例のビデオカメラの構成を示すブロック図
【符号の説明】
１０１  カメラ（レンズ）
１０２  カセットテープ
１０４  マイコン（動作制御手段，ロック解除制御手段）
１０５  揮発性メモリ
１０６  不揮発性メモリ
１０７  電源取り外しスイッチ（操作手段）
１０８  アクチュエータ（ロック手段，ロック解除手段）
１０９  電源
１１０  補助電源
【図１】
0004240656.tif 000002
【図２】
0004240656.tif 000003
【図３】
0004240656.tif 000004
【図４】
0004240656.tif 000005
【図５】
0004240656.tif 000006
【図６】
0004240656.tif 000007
【図７】
0004240656.tif 000008